(57)【要約】【課題】自然エネルギ発電を行い、この発電を各種機器の電源として使用し、しかも環境に係る情報を表示することなどにより、一般の人の環境意識向上にも寄与することができるようにした自然エネルギ利用の多目的発電装置を提供する。【解決手段】柱状本体１の上部にクロスフロー風車２を設け、柱状本体１の側面部に太陽光発電パネル３を設けて、クロスフロー風車２の風力発電機および太陽光発電パネル３の太陽光発電機を電源として、当該装置にて生成される自然エネルギ発電量およびＣＯ２削減量などの環境情報を表示する表示パネル４と、時計５，６と、照明装置７と、携帯電話の充電を行うためのコンセント８に対して電力供給をする。【選択図】図１
0003142902.tif 000002
【実用新案登録請求の範囲】
【請求項１】
柱状本体に、上部に風力発電用の風車を設け、側部に太陽光発電パネルを設け、さらに前記柱状本体に、前記風車の回転力にて発電する風力発電機と前記太陽光発電パネルとに接続された充電装置と、前記充電装置を電源として当該多目的発電装置による自然エネルギ発電量・ＣＯ２削減量などの環境情報を表示する表示パネルと、前記充電装置を電源とする照明装置とを備えたことを特徴とする自然エネルギ利用の多目的発電装置。
【請求項２】
前記風車は、柱状本体の上端部に設置されるクロスフロー型風車であることを特徴とする請求項１記載の自然エネルギ利用の多目的発電装置。
【請求項３】
前記照明装置のランプとしてＬＥＤを使用し、かつ前記ＬＥＤの照度をコントロール可能にし、かつ誘虫性の少ない光波長で発光させるようにしたことを特徴とする請求項１記載の自然エネルギ利用の多目的発電装置。
【請求項４】
前記充電装置を電源として駆動される時計装置を備え、前記時計装置が、電波時計あるいは太陽電池付きの時計であることを特徴とする請求項１記載の自然エネルギ利用の多目的発電装置。
【請求項５】
前記充電装置を電源として電気機器の充電を行うためのコンセントを備えたことを特徴とする請求項１記載の自然エネルギ利用の多目的発電装置。
【考案の詳細な説明】
【技術分野】
【０００１】  本考案は、自然エネルギ発電部を有し、照明用の電源のみならず、各種機器の電源機能および当該装置における環境情報を表示する機能を備えた自然エネルギ利用の多目的発電装置に関するものである。
【背景技術】
【０００２】  従来、風力発電装置および太陽光発電装置は、一般的には特許文献１に記載されているように照明装置の電源として使用されることが多く、特殊な使用例として、例えば特許文献２に記載されているような野外トイレにおける有機廃棄物の処理装置の電源として使用するものがある。
【特許文献１】特開２００３−３４６５２１号公報
【特許文献２】特開２００４−２０４６３５号公報
【考案の開示】
【考案が解決しようとする課題】
【０００３】  近年の環境問題の高まりから、風力発電装置および太陽光発電装置による発電が注目されており、各種設備の照明装置として設置されてきている。【０００４】  また、風力発電装置および太陽光発電装置による発電量も従来に比べて進歩し、さらに商用電源と組み合わせることにより、電源装置全体として安定した電源となり、かつ商用電源による電力消費を抑えることができるなど、各種用途に利用される可能性があるが、未だ照明装置として使用されることに止まっているのが現状であるといえる。【０００５】  そこで本考案は、自然エネルギ発電を行い、各種機器の電源として使用し、しかも環境に係る情報を表示することにより、一般の人の環境意識向上にも寄与することができるようにした自然エネルギ利用の多目的発電装置の提供を目的とする。
【課題を解決するための手段】
【０００６】  本考案の自然エネルギ利用の多目的発電装置は、柱状本体に、上部に風力発電用の風車を設け、側部に太陽光発電パネルを設け、さらに前記柱状本体に、前記風車の回転力にて発電する風力発電機と前記太陽光発電パネルとに接続された充電装置と、前記充電装置を電源として当該多目的発電装置による自然エネルギ発電量・ＣＯ２削減量などの環境情報を表示する表示パネルと、前記充電装置を電源とする照明装置とを備えたものである。【０００７】  また、前記風車は、柱状本体の上端部に設置されるクロスフロー型風車が好ましい。【０００８】  また、前記照明装置のランプとしてＬＥＤを使用し、かつ前記ＬＥＤの照度をコントロール可能にし、かつ誘虫性の少ない光波長で発光させるようにすることが好ましい。【０００９】  また、前記充電装置を電源として駆動される時計装置を備え、前記時計装置が、電波時計あるいは太陽電池付きの時計であることが好ましい。【００１０】  また、前記充電装置を電源として電気機器の充電を行うためのコンセントを備えると好ましい。
【考案の効果】
【００１１】  本考案では、柱状本体にクロスフロー風車などの風力発電機と、太陽光発電パネルによる発電を行う太陽光発電機とを備えた自然エネルギによる発電電源を搭載し、さらに柱状本体の一部に、当該多目的発電装置により生成した自然エネルギ発電量と、それによるＣＯ２削減量などを表示することにより、看者は当該装置における環境に寄与する情報を容易に認識することができる。しかも、自然エネルギによる発電を照明装置の電源とすることができるなど、当該装置により自然エネルギを利用する実感を得ることができるなど、実用的な効果にて一般の人の環境意識向上に寄与することができる。【００１２】  さらに、本多目的発電装置に、時計装置あるいは携帯電話などの電気機器の緊急充電を行うためのコンセントなどを設けると、より効果的である。
【考案を実施するための最良の形態】
【００１３】  以下に本考案の好適な実施例を図面にて説明する。【００１４】  図１（ａ）は本考案に関する自然エネルギ利用の多目的発電装置の実施例における外観を示す正面図、図１（ｂ）は本実施例の側面図であり、１は木材，金属材などからなる柱状本体、２は柱状本体１の長手方向に対して直交する方向の幅と羽根２ａの直径がほぼ同じのクロスフロー風車、３は柱状本体の側面部に設けられた太陽光発電パネル（一部を破線にて示している）、４は、柱状本体の側面部に設けられ、当該装置にて生成される自然エネルギ発電量およびこれに基づくＣＯ２削減量などの環境情報などを表示する表示パネルである。【００１５】  さらに、図１（ａ），（ｂ）において、５，６は電波時計あるいは太陽電池付きの時計、７は、光源ランプとしてＬＥＤを使用し、ＬＥＤの照度をコントロール可能にし、かつ誘虫性の少ない光波長での発光を行う照明装置、８は携帯電話などの電気機器の充電を行うことを可能にするコンセント、９は柱状本体１を設置面に支持する基礎部である。【００１６】  なお、前記時計５，６と前記コンセント８はオプションとし、当初から多目的発電装置に設けず、後で柱状本体１の任意の部位に設置するようにしてもよい。【００１７】  図２に前記表示パネルの表示例を示す。この例では、毎日の風力発電による発電量と太陽光発電による発電量を、「風力」と「ソーラー」として数値表示し、当該装置による毎月の累積発電量も表示しており、さらに、自然エネルギを利用した累積発電量に対応した炭酸ガス（ＣＯ２）削減量を表示し、当該装置の設置が環境問題に寄与していることを認識できるようにしている。【００１８】  図３は本実施例のコントローラに関する構成を示す図であって、コントローラ１０において、表示パネル４の表示コントロールが行われ、さらに、クロスフロー風車２の回転力にて発電する風力発電機１１と、太陽光発電パネルから構成される太陽光発電機１２とにおいて発電した電気の充電制御が、充電装置であるバッテリ１３に対して行われる。【００１９】  さらに、コントローラ１０のコントロールにより、バッテリ１３は表示パネル４，電波時計５，照明装置７の電源供給を行う。またバッテリ１３は携帯電話充電器などのコンセント８に電気的に接続している。【００２０】  前記コントローラ１０には商用電源を接続することにより、風力発電機１１および太陽光発電機１２における発電量が、本装置の必要とする電力に対して不足する場合に、その不足量を補うことができる。
【産業上の利用可能性】
【００２１】  本考案は、照明用の電源のみならず、各種機器の電源機能および各種自然環境情報を表示する機能を備えた自然エネルギ発電部を有する自然エネルギ利用の多目的発電装置として有効である。
【図面の簡単な説明】
【００２２】
【図１】（ａ）は本考案に関する自然エネルギ利用の多目的発電装置の実施例における外観を示す正面図、（ｂ）は同実施例の側面図である。
【図２】本実施例の表示パネルの表示例を示す図である。
【図３】本実施例のコントローラに関する構成を示す図である。
【符号の説明】
【００２３】１  柱状本体
２  クロスフロー風車
３  太陽光発電パネル
４  表示パネル
５，６  時計
７  照明装置
８  コンセント
９  基礎部
１０  コントローラ
１１  風力発電機
１２  太陽光発電機
１３  バッテリ
【図１】
0003142902.tif 000003
【図２】
0003142902.tif 000004
【図３】
0003142902.tif 000005